(57)【特許請求の範囲】
【請求項１】
重合缶内に重合開始剤及び水を導入するための導入ノズルにおいて、該重合缶壁の内面に整合せしめられた内側端から該重合缶壁を貫通して該重合缶外に延出する第一の導入管と、該重合缶の外側において該第一の導入管内に位置する内側端から該第一の導入管壁を貫通して該第一の導入管外へ延出する第二の導入管と、該第二の導入管が該第一の導入管を貫通する位置よりも更に該重合缶から離れた位置において該第一の導入管壁の内面に整合せしめられた内側端から該第一の導入管壁を貫通して該第一の導入管外へ延出する第三の導入管と、該第一の導入管の外側端には配設された開閉自在な弁部材とを具備し、該第二の導入管及び該第一の導入管を通して該重合缶内に重合開始剤が導入され、該第三の導入間及び該第一の導入管を通して該重合缶内に水が導入される、ことを特徴とする導入ノズル。
【発明の詳細な説明】
【技術分野】
【０００１】
本発明は、塩化ビニルを懸濁重合するための懸濁重合缶の如き重合缶に重合開始剤及び水を導入するための導入ノズルに関する。
【背景技術】
【０００２】
下記特許文献１には、塩化ビニルを懸濁重合するための重合缶に、重合開始剤及び水を導入するための導入ノズルを配設することが開示されている。そして、配設すべき導入ノズルとして、その図１に図示されている形態とその図２に図示されている形態とが提示されている。図１に図示されている導入ノズルは、重合缶壁の内面に整合せしめられた内側端から重合缶壁を貫通して重合缶外へ延出し且つ外側端には外側端面壁が付設されている案内管と、案内管に付設された外側端面壁を貫通して延在する導入管とを具備している。導入管の内側端部は案内管の内側端を越えて重合缶内に延出せしめられている。重合開始剤と水の双方とも導入管を通して重合缶内に導入される。図２に図示されている導入ノズルは、重合缶壁の内面に整合せしめられた内側端から重合缶壁を貫通して重合缶外へ延出し且つ外側端には外側端面壁が付設されている案内管と、案内管に付設された外側端面壁を貫通して延在し且つ外側端には外側端面壁が付設されている第一の導入管と、第一の導入管に付設された外側端面壁を貫通して延在する第二の導入管と、案内管の外側において第一の導入管の内面に整合した内側端から案内管壁を貫通して第一の導入管外へ延出する第三の導入管とを具備している。第一の導入管の内側端部及び第二の導入管の内側端部は共に案内管の内側端を越えて重合缶内に延出せしめられている。重合開始剤は第二の導入管を通して重合缶内に導入され、水は第三の導入管及び第一の導入管を通して重合缶内に導入される。
【特許文献１】特開昭６０−８６１０４号公報
【発明の開示】
【発明が解決しようとする課題】
【０００３】
本発明者等の経験によれば、上記特許文献１に開示されている導入ノズルには次のとおりの解決するべき問題がある。図１に図示されている形態の導入ノズルにおいては、導入管の案内管内に位置する部分の外周面及び案内管の内周面に重合物が付着する傾向があり、図２に図示されている導入ノズルにおいては、第一の導入管の案内管内に位置する部分の外周面及び案内管の内周面に重合物が付着する傾向がる。導入ノズルに付着した重合物は、通常、スケールと称されている。かようなスケールは、重合缶内の重合スラリー内に落下して、フィッシュアイと称されている可塑化されない重合体粒子となり、重合製品である塩化ビニルの品質を劣化せしめる。
【０００４】
本発明は上記事実に鑑みてなされたものであり、その主たる技術的課題は、重合缶内に重合開始剤及び水を導入するための導入ノズルを改良して、スケールの発生を充分に回避乃至抑制し、そしてまた重合缶内における重合が中断されている状態において必要に応じて重合缶内を観察する或いは導入ノズルの所要部位を清掃することができるようにすることである。
【課題を解決するための手段】
【０００５】
本発明によれば、上記主たる技術的課題を達成する導入ノズルとして、重合缶内に重合開始剤及び水を導入するための導入ノズルにおいて、該重合缶壁の内面に整合せしめられた内側端から該重合缶壁を貫通して該重合缶外に延出する第一の導入管と、該重合缶の外側において該第一の導入管内に位置する内側端から該第一の導入管壁を貫通して該第一の導入管外へ延出する第二の導入管と、該第二の導入管が該第一の導入管を貫通する位置よりも更に該重合缶から離れた位置において該第一の導入管壁の内面に整合せしめられた内側端から該第一の導入管壁を貫通して該第一の導入管外へ延出する第三の導入管と、該第一の導入管の外側端には配設された開閉自在な弁部材とを具備し、該第二の導入管及び該第一の導入管を通して該重合缶内に重合開始剤が導入され、該第三の導入間及び該第一の導入管を通して該重合缶内に水が導入される、ことを特徴とする導入ノズルが提供される。
【発明の効果】
【０００６】
本発明によって提供される導入ノズルにおいては、第一の導入管を通して導入される水の作用によって、第二の導入管の第一の導入管内に位置する部分の外周面に、そしてまた第一の導入管の内周面に、スケールが発生することが充分に回避乃至抑制される。重合缶内における重合が中断されている状態において、必要に応じて弁部材を開位置にせしめて重合缶内を観察する或いは導入ノズルの所要部位を清掃することができる。
【発明を実施するための最良の形態】
【０００７】
以下、添付図面を参照して、本発明に従って構成されたノズルの好適実施形態について、更に詳細に説明する。
【０００８】
図１は、本発明に従って構成された導入ノズルの第一の実施形態を図示している。塩化ビニルを懸濁重合するための重合缶２（図１にはその一部のみを図示している）は、例えば縦長楕円形状である中空体を規定する重合缶壁４を有し、かかる重合缶壁４の上端部には実質上鉛直（図１において上下方向）に延びる貫通開口６が形成されている。開口６の断面形状は円形でよい。そして、この開口６に関連せしめて全体を番号８で示す導入ノズルが配設されている。導入ノズル８は第一の導入管１０を含んでいる。図示の実施形態においては、第一の導入管１０は管部材１２及び１４から構成されている。短円筒形状である管部材１２は重合缶壁４の内面と実質上整合せしめられた内側端即ち下端から重合缶壁４を貫通して実質上鉛直に上方に延出せしめられている。かような管部材１２は重合缶壁４の内面側及び外面側において重合缶壁４に溶接することによって重合缶壁４に固定されている。管部材１２の外側端部外周面即ち上端部外周面には連結フランジ部材１６が溶接によって固定されている。管部材１４は比較的長い円筒形状であり、管部材１２に引き続いて上方に延びている。管部材１４の下端部には連結フランジ部材１８が溶接によって固定されている。連結フランジ部材１６と連結フランジ部材１８とは両者間に環状シール部材２０を介在せしめてボルト及びナットの如き適宜の締結手段（図示していない）によって締結せしめられ、かくして管部材１２の上端と管部材１４の下端とが連結される。
【０００９】
管部材１４の下部管壁には略円形でよい貫通開口２２が形成されており、かかる開口２２を貫通して延在する第二の導入管２４が配設されている。第二の導入管２４は円筒形状でよい管部材２６から構成されており、かかる管部材２６は管部材１４の外周面において管部材１４に溶接することによって管部材１４に固定されている。管部材２６の内側部（図１において左端部）は管部材１４の管壁を貫通して管部材１４内に延出せしめられており、管部材２６の内側端は管部材１４内に位置せしめられている。管部材１４の上部管壁にも略円形でよい貫通開口２８が形成されており、かかる開口２８を貫通して延在する第三の導入管３０が配設されている。第三の導入管３０も円筒形状でよい管部材３２から構成されており、かかる管部材３２は管部材１４の外周面において管部材１４に溶接することによって管部材１４に固定されている。管部材３２の内側端（図１において左端）は管部材１４の内周面と実質上整合せしめられている。
【００１０】
管部材１４の上端にはボール弁機構３４が装着されている。更に詳細には、管部材１４の上端部外周面には連結フランジ部材３６が溶接によって固定されている。一方、ボール弁機構３４のケーシングには連結フランジ３８が一体に形成されており、連結フランジ部材３６と連結フランジ３８とを環状シール部材４０を介在せしめてボルト及びナットの如き適宜の締結手段（図示していない）によって締結することによって管部材１４の上端にボール弁機構３４が装着されている。ボール弁機構３４自体は周知の形態でよく、そのボール弁４２が閉位置に位置せしめられている時には管部材１４の上端はボール弁４２によって閉じられているが、そのボール弁４２が開位置に回動せしめられると、ボール弁４２に形成されている貫通孔４４を通して管部材１４は上方に開放される。ボール弁４２の開閉はそれに付設されている操作レバー（図示していない）を手動操作することによって遂行することができる。
【００１１】
上述したとおりの導入ノズル８においては、第二の導入管２４に重合開始剤が供給され、かかる重合開始剤が第二の導入管２４及び第一の導入管１０を通して重合缶２内に導入される。重合開始剤は上記特許文献１に開示されているとおりのものでよい。一方、水は第三の導入管３０に供給され、第三の導入管３０及び第一の導入管１０を通して重合缶２内に導入される。重合開始剤は重合缶２内の温度が所要反応温度に達した時点において一時的に導入することができる。水は重合反応中の全期間を通して連続して或いは間歇的に導入することができる。ボール弁機構３４のボール弁４２は通常は閉位置に維持されているが、重合缶２内における重合が中断されている状態において第一の導入管１０を通して重合缶２内を観察する或いは第一の導入管１０内を清掃する場合にはボール弁４２を開位置に回動せしめて第一の導入管１０を上方に開放することができる。
【００１２】
図１に図示するとおりの導入ノズル８においては、第三の導入管３０及び第一の導入管１０を通して導入される水の作用によって、第二の導入管２４の第一の導入管１０内に位置する部分の外側面に或いは第一の導入管１０の内周面にスケールが発生することが充分に回避乃至抑制される。
【図面の簡単な説明】
【００１３】
【図１】本発明に従って構成された導入ノズルの好適実施形態を示す断面図。
【符号の説明】
【００１４】
２：重合缶
４：重合缶壁
８：導入ノズル
１０：第一の導入管
２４：第二の導入管
３０：第三の導入管
３４：ボール弁機構
【図１】
0004495047.tif 000002